(57)【要約】【課題】ネットワークの試験の手間を軽減する。【解決手段】ネットワークサービスごとに、このネットワークサービスに用いられるネットワーク装置４の識別情報を示した装置テーブル３４１と、このネットワーク装置４に実行させる試験項目を示した試験項目テーブル３４２とを記憶する記憶部３４、ネットワークサービスのＩＤの入力を受け付ける入力部３１と、装置テーブル３４１を参照して、このネットワークサービスに用いられるネットワーク装置４を特定する対象装置特定部３２１と、試験項目テーブル３４２から前記特定したネットワーク装置４に実行させる試験項目を決定する試験項目決定部３２２と、この決定した試験項目を実行させるための試験実行コマンドを、ネットワーク装置４へ送信する試験命令出力部３３２と、試験実行コマンドの実行結果を受信する試験結果受信部３３３とを備えるネットワーク試験装置３とした。【選択図】図１
2009094810.tif 000002
【特許請求の範囲】
【請求項１】
ネットワークサービスを提供するネットワーク装置に試験を実行させるネットワーク試験装置であって、
前記ネットワークサービスのＩＤごとに、このネットワークサービスに用いられる前記ネットワーク装置の識別情報を示した装置テーブルと、前記ネットワーク装置の識別情報ごとに、このネットワーク装置に実行させる試験項目を示した試験項目テーブルとを記憶する記憶部と、
前記ネットワークサービスのＩＤの入力を受け付ける入力部と、
前記入力されたネットワークサービスのＩＤをキーとして、前記装置テーブルから前記ネットワークサービスに用いられるネットワーク装置の識別情報を特定する対象装置特定部と、
前記特定したネットワーク装置の識別情報をキーとして、前記試験項目テーブルから前記特定したネットワーク装置に実行させる試験項目を決定する試験項目決定部と、
前記決定した試験項目を実行させるための試験実行コマンドを、前記特定した各ネットワーク装置で実行可能な試験実行コマンドに変換する試験命令変換部と、
前記変換した試験実行コマンドを、ネットワーク経由で、前記特定したネットワーク装置へ送信する試験命令出力部と、
前記各ネットワーク装置から、前記送信した試験実行コマンドの応答を受信する試験結果受信部と、
を備えることを特徴とするネットワーク試験装置。
【請求項２】
前記決定した試験項目が、ネットワーク疎通確認試験であるとき、
前記試験命令出力部は、前記特定したネットワーク装置のうち、前記ネットワーク疎通確認試験の対象であるネットワーク装置それぞれへ、当該ネットワーク装置間で前記ネットワーク疎通確認のためのパケットを送信させる試験実行コマンドを送信することを特徴とする請求項１に記載のネットワーク試験装置。
【請求項３】
前記決定した試験項目が、ＲＴＣＰ（RTP Control Protocol）パケットによる通信品質確認試験であるとき、
前記試験命令出力部は、前記特定したネットワーク装置のうち、前記通信品質確認試験の対象であるネットワーク装置へ、このネットワーク装置で送信しているＲＴＣＰパケットのうち、前記入力されたネットワークサービスのＩＤに対応するＲＴＣＰパケットをコピーして、前記ネットワーク試験装置宛に送信させる試験実行コマンドを送信することを特徴とする請求項１または請求項２に記載のネットワーク試験装置。
【請求項４】
前記決定した試験項目が、ＲＴＰ（Real-time Transport Protocol）パケットのモニタリング試験であるとき、
前記試験命令出力部は、前記特定したネットワーク装置のうち、前記ＲＴＰパケットのモニタリング試験を行うネットワーク装置へ、このネットワーク装置で送信しているＲＴＰパケットのうち、前記入力されたネットワークサービスのＩＤに対応するＲＴＰパケットをコピーして、前記ネットワーク試験装置宛に送信させる試験実行コマンドを送信することを特徴とする請求項１または請求項２に記載のネットワーク試験装置。
【請求項５】
前記決定した試験項目が、セッション制御サーバにおける、当該ネットワークサービスのＩＤに対応する登録情報の有無の確認および当該ネットワークサービスのＩＤに関する通信ログの少なくとも一方を取得する試験であるとき、
前記試験命令出力部は、前記特定したネットワーク装置のうち、前記試験を行うネットワーク装置であるセッション制御サーバへ、このセッション制御サーバが記憶している当該ネットワークサービスのＩＤに対応する登録情報および当該ネットワークサービスのＩＤに関する通信ログの少なくとも一方を前記ネットワーク試験装置宛に送信させる試験実行コマンドを送信することを特徴とする請求項１ないし請求項４のいずれか１項に記載のネットワーク試験装置。
【請求項６】
前記ネットワークサービスは、ＩＰ電話サービスであり、
前記ネットワークサービスのＩＤは、前記ＩＰ電話サービスに用いられる電話番号であることを特徴とする請求項１ないし請求項５のいずれか１項に記載のネットワーク試験装置。
【請求項７】
前記試験項目テーブルは、前記試験項目ごとに、この試験項目の属するレイヤの情報をさらに含み、
前記入力部は、前記ネットワークサービスの試験の対象とするレイヤの入力を受け付けたとき、
前記試験項目特定部は、前記特定した試験項目のうち、前記レイヤに属する試験項目を選択することを特徴とする請求項１ないし請求項６のいずれか１項に記載のネットワーク試験装置。
【請求項８】
前記試験項目テーブルは、前記試験項目ごとに、この試験項目のレベル値を示した情報をさらに含み、
前記入力部は、前記ネットワークサービスの試験におけるレベル値の入力を受け付けたとき、
前記試験項目決定部は、前記特定した試験項目のうち、前記入力されたレベル値に相当する試験項目を選択し、
前記試験命令変換部は、前記選択した試験項目を実行させるための試験実行コマンドを、前記特定したネットワーク装置に用いられるプロトコルに変換することを特徴とする請求項１ないし請求項７のいずれか１項に記載のネットワーク試験装置。
【請求項９】
ネットワークサービスのＩＤごとに、このネットワークサービスに用いられるネットワーク装置の識別情報を示した装置テーブルと、前記ネットワーク装置の識別情報ごとに、このネットワーク装置に実行させる試験項目を示した試験項目テーブルとを記憶する記憶部を備えるネットワーク試験装置が、
前記ネットワークサービスのＩＤの入力を受け付けるステップと、
前記入力されたネットワークサービスのＩＤをキーとして、前記装置テーブルから、前記ネットワークサービスに用いられるネットワーク装置の識別情報を特定するステップと、
前記特定したネットワーク装置の識別情報をキーとして、前記試験項目テーブルから前記特定したネットワーク装置に実行させる試験項目を決定するステップと、
前記決定した試験項目を実行させるための試験実行コマンドを、前記特定したネットワーク装置に用いられる試験実行コマンドに変換するステップと、
前記変換した試験実行コマンドを、ネットワーク経由で、前記特定したネットワーク装置へ送信するステップと、
前記各ネットワーク装置から、前記送信した試験実行コマンドの応答を受信するステップと、
を実行することを特徴とするネットワーク試験方法。
【請求項１０】
請求項９に記載のネットワーク試験方法を、コンピュータであるネットワーク試験装置に実行させることを特徴とするネットワーク試験プログラム。
【発明の詳細な説明】
【技術分野】
【０００１】
本発明は、ネットワーク試験技術に関する。
【背景技術】
【０００２】
従来から、ＩＰ（Internet Protocol）ネットワークにおいて、障害が発生すると、この原因特定するため、ネットワークの保守者が、ネットワーク装置に対し様々な試験を行っていた。
【０００３】
例えば、ＩＰネットワークの保守者が、ユーザからＩＰ電話サービスの障害発生の連絡を受け取ると、この障害が発生したＩＰ電話サービスの電話番号から、この電話番号のＩＰ電話サービスに用いられているネットワーク装置（ルータやＳＩＰ（Session Initiation Protocol）サーバ等）を特定する。そして、ＩＰネットワークの保守者が、この特定したネットワーク装置に対し、リンクアップ／ダウン等のレイヤ２の試験や、ping等のＩＰレイヤの試験や、当該電話番号の登録情報の有無の確認等、様々な試験を行い、障害の原因を特定していた。以下の特許文献１には、電話交換機の障害発生時のログを管理する技術が開示されている。
【特許文献１】特許３０５５５０７号明細書
【発明の開示】
【発明が解決しようとする課題】
【０００４】
しかし、障害の発生したネットワークサービスに用いられるネットワーク装置を特定するためには、この障害の発生したネットワークサービスに関するサービス情報を確認しなければならない。また、特定したネットワーク装置に実施する試験項目の選択は、各保守者の勘や経験に頼るところが大きかった。このため、保守者が障害原因特定のための試験項目を迅速に選択できないこともあり、障害の原因特定に時間がかかることもあった。特に、ネットワークサービスが音声データや映像データを扱う場合、用いられるネットワーク装置も試験項目も多種多様であり、試験項目の選択および試験の実行は手間のかかる作業であった。そこで、本発明は、前記した問題を解決し、ネットワーク装置の試験の手間を軽減することを目的とする。
【課題を解決するための手段】
【０００５】
前記した課題を解決するため、請求項１に記載の発明は、ネットワークサービスを提供するネットワーク装置に試験を実行させるネットワーク試験装置であって、前記ネットワークサービスのＩＤごとに、このネットワークサービスに用いられる前記ネットワーク装置の識別情報を示した装置テーブルと、前記ネットワーク装置の識別情報ごとに、このネットワーク装置に実行させる試験項目を示した試験項目テーブルとを記憶する記憶部と、前記ネットワークサービスのＩＤの入力を受け付ける入力部と、前記入力されたネットワークサービスのＩＤをキーとして、前記装置テーブルから前記ネットワークサービスに用いられるネットワーク装置の識別情報を特定する対象装置特定部と、前記特定したネットワーク装置の識別情報をキーとして、前記試験項目テーブルから前記特定したネットワーク装置に実行させる試験項目を決定する試験項目決定部と、前記決定した試験項目を実行させるための試験実行コマンドを、前記特定した各ネットワーク装置で実行可能な試験実行コマンドに変換する試験命令変換部と、前記変換した試験実行コマンドを、ネットワーク経由で、前記特定したネットワーク装置へ送信する試験命令出力部と、前記各ネットワーク装置から、前記送信した試験実行コマンドの応答を受信する試験結果受信部と、を備えることを特徴とするネットワーク試験装置とした。
【０００６】
請求項９に記載の発明は、ネットワークサービスのＩＤごとに、このネットワークサービスに用いられるネットワーク装置の識別情報を示した装置テーブルと、前記ネットワーク装置の識別情報ごとに、このネットワーク装置に実行させる試験項目を示した試験項目テーブルとを記憶する記憶部を備えるネットワーク試験装置が、前記ネットワークサービスのＩＤの入力を受け付けるステップと、前記入力されたネットワークサービスのＩＤをキーとして、前記装置テーブルから、前記ネットワークサービスに用いられるネットワーク装置の識別情報を特定するステップと、前記特定したネットワーク装置の識別情報をキーとして、前記試験項目テーブルから前記特定したネットワーク装置に実行させる試験項目を決定するステップと、前記決定した試験項目を実行させるための試験実行コマンドを、前記特定したネットワーク装置に用いられる試験実行コマンドに変換するステップと、前記変換した試験実行コマンドを、ネットワーク経由で、前記特定したネットワーク装置へ送信するステップと、前記各ネットワーク装置から、前記送信した試験実行コマンドの応答を受信するステップと、を実行することを特徴とするネットワーク試験方法とした。
【０００７】
このようにすることで、ネットワーク試験装置は、当該ネットワークサービスの障害要因特定等をするためには、どのネットワーク装置にどのような試験項目を行えばよいかを迅速に特定できる。そして、ネットワーク試験装置は、この特定したネットワーク装置に対し、試験項目に示される試験内容を実行させるので、ネットワーク装置の試験の手間を軽減することができる。また、どのネットワーク装置に障害が発生しているのかをすぐに把握できる。
【０００８】
請求項２に記載の発明は、請求項１に記載のネットワーク試験装置において、前記決定した試験項目が、ネットワーク疎通確認試験であるとき、前記試験命令出力部は、前記特定したネットワーク装置のうち、前記ネットワーク疎通確認試験の対象であるネットワーク装置それぞれへ、当該ネットワーク装置間で前記ネットワーク疎通確認のためのパケットを送信させる試験実行コマンドを送信することを特徴とするネットワーク試験装置とした。
【０００９】
このような構成によれば、ネットワーク試験装置は、当該ネットワークサービスの障害要因特定等をするため、どのネットワーク装置間でネットワーク疎通確認試験（例えば、ping等）を行えばよいかを迅速に特定できる。そして、ネットワーク試験装置は、この特定したネットワーク装置にネットワーク疎通確認試験を実行させるので、ネットワーク疎通確認試験の手間を軽減することができる。また、どのネットワーク装置間（区間）で障害が発生しているのかをすぐに把握できる。
【００１０】
請求項３に記載の発明は、請求項１または請求項２に記載のネットワーク試験装置において、前記決定した試験項目が、ＲＴＣＰ（RTP Control Protocol）パケットによる通信品質確認試験であるとき、前記試験命令出力部は、前記特定したネットワーク装置のうち、前記通信品質確認試験の対象であるネットワーク装置へ、このネットワーク装置で送信しているＲＴＣＰパケットのうち、前記入力されたネットワークサービスのＩＤに対応するＲＴＣＰパケットをコピーして、前記ネットワーク試験装置宛に送信させる試験実行コマンドを送信することを特徴とするネットワーク試験装置とした。
【００１１】
このような構成によれば、ネットワーク試験装置は、当該ネットワークサービスの障害要因特定等をするため、どのネットワーク装置に通信品質の確認をすればよいかを迅速に特定できる。そして、ネットワーク試験装置は、この特定したネットワーク装置に、当該装置に流れるＲＴＣＰパケットをコピーして送信させるので、通信品質確認試験の手間を軽減することができる。また、どのネットワーク装置で通信品質の劣化が発生しているのかをすぐに把握できる。
【００１２】
請求項４に記載の発明は、請求項１または請求項２に記載のネットワーク試験装置において、前記決定した試験項目が、ＲＴＰ（Real-time Transport Protocol）パケットのモニタリング試験であるとき、前記試験命令出力部は、前記特定したネットワーク装置のうち、前記ＲＴＰパケットのモニタリング試験を行うネットワーク装置へ、このネットワーク装置で送信しているＲＴＰパケットのうち、前記入力されたネットワークサービスのＩＤに対応するＲＴＰパケットをコピーして、前記ネットワーク試験装置宛に送信させる試験実行コマンドを送信することを特徴とするネットワーク試験装置とした。
【００１３】
このような構成によれば、ネットワーク試験装置は、当該ネットワークサービスの障害要因特定等をするため、どのネットワーク装置でＲＴＰパケットのモニタリング試験をすればよいかを特定できる。そして、ネットワーク試験装置は、この特定したネットワーク装置に、当該装置に流れるＲＴＰパケットをコピーして送信させる。このようにすることで、例えば、ネットワークサービスが音声または映像の送信サービス（例えば、ＩＰ電話サービスやＩＰＴＶ電話サービス、音声や映像の配信サービス）であるとき、ネットワーク試験装置は、実際にこのネットワーク装置で送信しているデータを取得することができる。つまり、どのネットワーク装置で通信品質の劣化等がしているかをネットワークの保守者が実際に目で見たり、耳で聞いたりして把握できる。
【００１４】
請求項５に記載の発明は、請求項１ないし請求項４のいずれか１項に記載のネットワーク試験装置において、前記決定した試験項目が、セッション制御サーバにおける、当該ネットワークサービスのＩＤに対応する登録情報の有無の確認および当該ネットワークサービスのＩＤに関する通信ログの少なくとも一方を取得する試験であるとき、前記試験命令出力部は、前記特定したネットワーク装置のうち、前記試験を行うネットワーク装置であるセッション制御サーバへ、このセッション制御サーバが記憶している当該ネットワークサービスのＩＤに対応する登録情報および当該ネットワークサービスのＩＤに関する通信ログの少なくとも一方を前記ネットワーク試験装置宛に送信させる試験実行コマンドを送信することを特徴とするネットワーク試験装置とした。
【００１５】
このような構成によれば、ネットワークサービスが、セッション制御サーバを用いたサービス（例えば、前記したＩＰ電話サービスやＩＰＴＶ電話サービス）であるとき、当該ネットワークサービスの障害要因特定等をするため、ネットワーク試験装置は、どのセッション制御サーバにおいて、当該ネットワークサービスのユーザの情報が登録されているか否かを確認したり、通信ログを確認したりすればよいかを迅速に特定できる。
【００１６】
請求項６に記載の発明は、請求項１ないし請求項５のいずれか１項に記載のネットワーク試験装置において、前記ネットワークサービスは、ＩＰ電話サービスであり、前記ネットワークサービスのＩＤは、前記ＩＰ電話サービスに用いられる電話番号であることを特徴とするネットワーク試験装置とした。
【００１７】
このような構成によれば、ネットワークサービスが、ＩＰ電話サービスであるとき、ネットワーク試験装置は、このサービスに割当てられている電話番号をキーとして、当該ネットワークサービスの障害発生時にどのネットワーク装置にどのような試験項目を行えばよいかを把握できる。つまり、ネットワーク試験装置は、障害が発生している電話番号をキーとして試験対象装置および試験項目を決定できる。
【００１８】
請求項７に記載の発明は、請求項１ないし請求項６のいずれか１項に記載のネットワーク試験装置において、前記試験項目テーブルは、前記試験項目ごとに、この試験項目の属するレイヤの情報をさらに含み、前記入力部は、前記ネットワークサービスの試験の対象とするレイヤの入力を受け付けたとき、前記試験項目特定部は、前記特定した試験項目のうち、前記レイヤに属する試験項目を選択することを特徴とするネットワーク試験装置とした。
【００１９】
このような構成によれば、ネットワーク試験装置は、ネットワークサービスの試験をレイヤ（例えば、レイヤ２、レイヤ３、アプリケーションレイヤ等）ごとに行うことができる。例えば、ネットワーク試験装置は、障害が発生したネットワークサービスについて、ネットワークの管理者が所望するレイヤ（例えば、レイヤ２）の試験を実行させることができる。
【００２０】
請求項８に記載の発明は、請求項１ないし請求項７のいずれか１項に記載のネットワーク試験装置において、前記試験項目テーブルは、前記試験項目ごとに、この試験項目のレベル値を示した情報をさらに含み、前記入力部は、前記ネットワークサービスの試験におけるレベル値の入力を受け付けたとき、前記試験項目決定部は、前記特定した試験項目のうち、前記入力されたレベル値に相当する試験項目を選択し、前記試験命令変換部は、前記選択した試験項目を実行させるための試験実行コマンドを、前記特定したネットワーク装置に用いられるプロトコルに変換することを特徴とするネットワーク試験装置とした。
【００２１】
このような構成によれば、ネットワーク試験装置は、ネットワークサービスの試験をレベル（例えば、低、中、高）に分けて行うことができる。例えば、ネットワーク試験装置は、障害が発生したネットワークサービスについて、ネットワークの管理者が所望するレベルの試験（例えば、セッション制御サーバの登録情報の送信）を実行させることができる。
【００２２】
請求項１０に記載の発明は、請求項９に記載のネットワーク試験方法を、コンピュータであるネットワーク試験装置に実行させることを特徴とするネットワーク試験プログラムとした。
【００２３】
このようなプログラムによれば、一般的なコンピュータに請求項９に記載のネットワーク試験方法を実行させることができる。
【発明の効果】
【００２４】
本発明によれば、ネットワーク装置の試験の手間を軽減することができる。
【発明を実施するための最良の形態】
【００２５】
以下、本発明を実施するための最良の形態（以下、実施の形態という）を、図面を参照しながら説明する。
【００２６】
図１は、本実施の形態のネットワーク試験装置を含むシステムの全体構成を例示した図である。
【００２７】
図１に示すように、システムは、ネットワークサービスを提供するネットワーク装置４（４Ａ,４Ｂ,…,４Ｎ）と、このネットワーク装置４それぞれに対し試験を実行させるネットワーク試験装置３とを含む。このネットワーク装置４とネットワーク試験装置３とは図示しないネットワークにより接続される。
【００２８】
このネットワーク装置４は、例えば、ＳＩＰサーバ等のセッション制御サーバや、映像データや音声データを送信するサーバ、ルータ、Ｌ（レイヤ）２スイッチ、ホームゲートウェイやＩＳＰ（Internet Services Provider）接続ゲートウェイ等である。このホームゲートウェイは、各ユーザのＬＡＮ（Local Area Network）とネットワークとを接続するためのゲートウェイであり、ＩＳＰ接続ゲートウェイは、ＩＳＰへ接続するためのゲートウェイである。このゲートウェイは、ルータの他、コンピュータ等により実現される。
【００２９】
ネットワーク試験装置３は、ネットワークサービスのＩＤ（例えば、ネットワークサービスがＩＰ電話サービスの場合、電話番号）の入力を受け付けると、このネットワークサービスに用いられるネットワーク装置４それぞれに対し試験実行命令（試験実行コマンド）を送信する。そして、このネットワーク装置４それぞれから、当該ネットワーク装置４における試験実行結果を受信する。これにより、例えばネットワークサービスに障害が発生したとき、そのネットワークサービスを提供するネットワーク装置４のうち、どの装置（どの区間）でどのような障害が発生しているか否かを把握できる。このネットワーク試験装置３は、入出力インタフェース、ネットワークインタフェース、ＣＰＵ（Central Processing Unit）、ＲＡＭ（Random Access Memory）、ＲＯＭ（Read Only Memory）、ＨＤＤ（Hard Disk Drive）等を備えるコンピュータにより実現される。
【００３０】
このようなネットワーク試験装置３は、入力部３１と、試験対象特定部３２と、試験要求部３３と、記憶部３４と、ネットワークインタフェース部３５と、出力部３６とを含んで構成される。このネットワーク試験装置３には、このネットワーク試験装置３に、ネットワークサービスのＩＤや各種情報の入力を行うための入力装置１や、このネットワーク試験装置３が受信した試験結果を出力するための出力装置２が接続されていてもよい。この入力装置１は、例えば、キーボードやマウス等であり、出力装置２は、例えば、液晶モニタ等である。
【００３１】
入力部３１は、入力装置１等、外部から試験対象のネットワークサービスのＩＤの入力を受け付け、このネットワークサービスのＩＤを試験対象特定部３２へ出力する。この入力部３１は、例えば、前記した入出力インタフェースにより実現される。なお、このネットワークサービスのＩＤは、このネットワークサービスを契約しているユーザのユーザＩＤでもよいし、このユーザが契約しているサービスごとにユニークに割り当てられたＩＤでもよい。また、このネットワークサービスがＩＰ電話サービスであるときは、このＩＰ電話サービスに割り当てられた電話番号でもよい。
【００３２】
試験対象特定部３２は、入力部３１経由で入力されたネットワークサービスのＩＤをキーとして、試験対象のネットワーク装置４を特定し、このネットワーク装置４に実行させる試験項目を決定する。このような試験対象特定部３２は、対象装置特定部３２１と、試験項目決定部３２２とを含んで構成される。
【００３３】
対象装置特定部３２１は、入力部３１経由で入力されたネットワークサービスのＩＤをキーとして、記憶部３４の装置テーブル３４１（詳細は後記）から、このネットワークサービスに用いられるネットワーク装置４を検索する。つまり、このネットワーク試験装置３の試験対象のネットワーク装置４を特定する。
【００３４】
試験項目決定部３２２は、対象装置特定部３２１で特定した試験対象のネットワーク装置４の種別（またはネットワーク装置４の識別情報）をキーとして、記憶部３４の試験項目テーブル３４２（詳細は後記）から、このネットワーク装置４に実行させる試験項目を決定する。
【００３５】
試験要求部３３は、試験対象特定部３２で決定した試験項目を、試験対象装置であるネットワーク装置４へ実行させる。このような試験要求部３３は、試験命令変換部３３１と、試験命令出力部３３２と、試験結果受信部３３３とを含んで構成される。
【００３６】
試験命令変換部３３１は、試験項目決定部３２２で決定した試験項目を実行させるための試験実行コマンドを、対象装置特定部３２１が特定したネットワーク装置４が実行可能なコマンドに変換する。例えば、試験対象のネットワーク装置４が、ＳＩＰサーバであるとき、試験項目決定部３２２で決定した試験項目の試験実行コマンドをこのＳＩＰサーバで実行可能なコマンドに変換する。なお、図示を省略しているが、記憶部３４には、このネットワーク装置４ごとに実行可能なコマンドが記憶されており、試験命令変換部３３１は、対象装置特定部３２１で特定されたネットワーク装置４の種別（またはネットワーク装置４の識別情報）をもとに、どの形式のコマンドに変換すればよいかを判断する。
【００３７】
試験命令出力部３３２は、試験命令変換部３３１で変換された試験実行コマンドを、ネットワークインタフェース部３５（後記）経由で、対象装置特定部３２１で特定したネットワーク装置４へ送信する。
【００３８】
試験結果受信部３３３は、ネットワーク装置４において実行された試験実行結果を受信する。つまり、試験命令出力部３３２において出力された試験実行コマンドの応答を受信する。例えば、試験結果受信部３３３は、ネットワーク装置４Ｂで実行された「リンクアップ／ダウン」の試験結果をネットワークインタフェース部３５経由で受信する。そして、試験結果受信部３３３は、この試験実行結果を出力部３６経由で出力装置２へ出力する。これにより、ネットワーク装置４Ｂのリンクがダウンしているか否かを確認できる。
【００３９】
なお、この試験対象特定部３２および試験要求部３３は、このネットワーク試験装置３のＣＰＵが、記憶部３４に記憶されたプログラム（ネットワーク試験プログラム）をＲＡＭ上に展開し実行することで実現される。
【００４０】
記憶部３４は、試験対象特定部３２が試験対象装置および試験対象項目を特定するための各種情報を記憶する。このような記憶部３４は、装置テーブル３４１と試験項目テーブル３４２とを備える。なお、この記憶部３４は、ＲＡＭ、ＲＯＭ、ＨＤＤ等の記憶媒体により実現される。
【００４１】
この装置テーブル３４１は、ネットワークサービスのＩＤごとに、このネットワークサービスに用いられるネットワーク装置４の識別情報を示した情報である。この装置テーブル３４１は、対象装置特定部３２１が当該ネットワークサービスにおける試験対象装置であるネットワーク装置４を特定するときに参照される。この装置テーブル３４１の詳細は、図２（ａ）を用いて後記する。
【００４２】
試験項目テーブル３４２は、ネットワーク装置４ごと（ネットワーク装置４の種別ごと）に、このネットワーク装置４で実施する試験項目を示した情報である。この試験項目テーブル３４２は、試験項目決定部３２２が当該ネットワークサービスにおける試験対象装置に実行させる試験項目を決定するときに参照される。この試験項目テーブル３４２の詳細は、図２（ｂ）を用いて後記する。
【００４３】
ネットワークインタフェース部３５は、試験要求部３３がネットワーク経由で外部装置（ここでは、ネットワーク装置４）との間で各種データの送受信を行う際のインタフェースである。
【００４４】
出力部３６は、試験要求部３３から出力された試験結果を出力装置２へ出力する。この出力部３６は、前記した入出力インタフェースにより実現される。
【００４５】
ここで、図２（ａ）を用いて装置テーブル３４１を説明する。図２（ａ）は、図１の装置テーブルを例示した図である。ここでは、ネットワークサービスが、ＩＰ電話、ＴＶ電話（ＩＰＴＶ電話）およびＩＳＰ接続サービスである場合を例に説明する。ネットワークサービスがＩＰ電話やＴＶ電話（ＩＰＴＶ電話）の場合、このネットワークサービスのＩＤとして電話番号やユーザＩＤを用いる。また、ＩＳＰ接続サービスの場合、ネットワークサービスのＩＤとしてユーザＩＤを用いる。
【００４６】
例えば、図２（ａ）に示す装置テーブル３４１において、電話番号「0311112222」のユーザの加入サービスは「ＩＰ電話」であり、ＳＩＰレイヤ、ＩＰレイヤおよびＬ（レイヤ）２に属する装置のうち、収容ＳＩＰサーバは「ＳＩＰ−Ａ」であり、そのＩＰアドレス（識別情報）は「1.1.1.1」であることを示す。また、ＨＧＷ（ホームゲートウェイ）は「ＨＧＷ−Ａ」であり、そのＩＰアドレスは「10.10.10.10」であることを示す。また、ＩＰレイヤおよびＬ（レイヤ）２に属する装置のうち、収容ルータは「Ｒ−Ａ」であり、そのＩＰアドレスは「2.2.2.1」であり、ＩＳＰ接続ＧＷはないことを示す。さらに、Ｌ２にのみ属する装置は「東京ＳＷ（スイッチ）１」であることを示す。
【００４７】
なお、装置テーブル３４１は、図２（ａ）に例示したように、各ネットワーク装置４の属するレイヤ（ＳＩＰレイヤ、ＩＰレイヤおよびＬ２と、ＩＰレイヤおよびＬ２と、Ｌ２のみ）ごとに分けるようにしてもよい。また、図２（ａ）に例示するように、同じ電話番号に複数の加入サービス（ＩＰ電話と、ＴＶ電話）が割り当てられているとき、それぞれの加入サービスごとに、その加入サービスに用いられるネットワーク装置４の識別情報が示される。
【００４８】
次に、図２（ｂ）を用いて試験項目テーブル３４２を説明する。図２（ｂ）は、図１の試験項目テーブルを例示した図である。ここでは、レイヤ（Ｌ２、ＩＰレイヤ、ＳＩＰレイヤ）ごと、ネットワーク装置４ごとに、当該ネットワーク装置４で実行される試験項目を示している。例えば、「ＳＩＰ−Ａ」というネットワーク装置４におけるＬ２試験項目は「リンクアップ／ダウン（リンクがダウンしているか否か）」であり、ＩＰ（ＩＰレイヤ）の試験項目は「ネットワーク疎通（ping等）」であることを示す。また、ＳＩＰ（ＳＩＰレイヤ）の試験項目は「登録状態確認（ＳＩＰサーバに当該電話番号に関する情報の登録があるか否かの確認）」と、「ＳＩＰシーケンス表示（ＳＩＰサーバにおける当該電話番号に関する通話ログの表示）」であることを示す。なお、「ＳＩＰシーケンス表示（ＩＰ電話）」とは、当該ネットワークサービスがＩＰ電話であるときのＳＩＰシーケンス表示であり、「ＳＩＰシーケンス表示（ＴＶ電話）」とは、当該ネットワークサービスがＴＶ電話であるときのＳＩＰシーケンス表示を示す。
【００４９】
次に、図１、図２を参照しつつ、図３を用いて、ネットワーク試験装置３の処理手順を説明する。図３は、図１のネットワーク試験装置の処理手順を示したフローチャートである。
【００５０】
まず、ネットワーク試験装置３の入力部３１は、入力装置１から、試験対象のネットワークサービスのＩＤの入力を受け付ける（Ｓ３１）。なお、以下、入力装置１から入力されたネットワークサービスのＩＤは、ＩＰ電話サービスに用いられる電話番号である場合を例に説明する。
【００５１】
ネットワーク試験装置３の試験装置特定部３２１は、入力されたネットワークサービスのＩＤ（例えば、電話番号）をキーとして、装置テーブル３４１（図２（ａ）参照）を検索し、加入サービスと、その加入サービスにおける試験対象のネットワーク装置４を特定する（Ｓ３２）。
【００５２】
例えば、試験装置特定部３２１は、入力された電話番号「0311112222」をキーとして、装置テーブル３４１（図２（ａ）参照）を検索し、加入サービス「ＩＰ電話」と、そのサービスにおける試験対象装置である「ＳＩＰ−Ａ（1.1.1.1）」、「ＨＧＷ−Ａ（10.10.10.10）」、「Ｒ−Ａ（2.2.2.1）」および「東京ＳＷ１」を特定する。
【００５３】
次に、試験項目決定部３２２は、Ｓ３２で特定された加入サービスと、その加入サービスにおける試験対象のネットワーク装置４をキーとして、試験項目テーブル３４２（図２（ｂ）参照）を検索し、各試験対象装置に実行させる試験項目を決定する（Ｓ３３）。
【００５４】
例えば、試験項目決定部３２２は、Ｓ３２で特定した加入サービス「ＩＰ電話」と試験対象装置「ＳＩＰ−Ａ」とをキーとして、Ｌ２レイヤの試験である「リンクアップ／ダウン」、ＩＰレイヤの試験である「ネットワーク疎通」、ＳＩＰレイヤの試験である「登録状態確認」および「ＳＩＰシーケンス表示（ＩＰ電話）」を決定する。また、試験項目決定部３２２は、その他の試験対象装置「ＨＧＷ−Ａ（10.10.10.10）」、「Ｒ−Ａ（2.2.2.1）」、「東京ＳＷ１」についても同様に試験項目を決定する。
【００５５】
次に、試験命令変換部３３１は、Ｓ３３で決定した試験項目を実行させるための試験実行コマンドを、この試験項目を実行するネットワーク装置４の実装に応じたコマンドに変換する（Ｓ３４）。例えば、試験命令変換部３３１は、試験対象装置が「ＳＩＰ−Ａ」であるとき、「登録状態確認」および「ＳＩＰシーケンス表示（ＩＰ電話）」の試験実行コマンドを、この「ＳＩＰ−Ａ」で実行可能なコマンドに変換する。
【００５６】
そして、試験命令出力部３３２は、Ｓ３４で変換した試験実行コマンド（試験実行命令）を、ネットワークインタフェース部３５経由で、各試験対象装置へ出力する（Ｓ３５）。例えば、試験命令出力部３３２は、Ｓ３４で変換した試験実行コマンドを、「ＳＩＰ−Ａ（1.1.1.1）」、「ＨＧＷ−Ａ（10.10.10.10）」、「Ｒ−Ａ（2.2.2.1）」および「東京ＳＷ１」へ出力する。このようにすることで、ネットワークサービスに用いられる各ネットワーク装置４に、障害検出のための試験を実行させることができる。例えば、ネットワーク試験装置３は、ＩＰ電話サービスで障害の発生した電話番号「0311112222」の入力を受け付けると、この電話番号のＩＰ電話サービスに用いられるネットワーク装置４（例えば、「ＳＩＰ−Ａ（1.1.1.1）」、「ＨＧＷ−Ａ（10.10.10.10）」、「Ｒ−Ａ（2.2.2.1）」および「東京ＳＷ１」）を特定する。そして、ネットワーク試験装置３は、この特定したネットワーク装置４に対し、レイヤ（Ｌ２、ＩＰレイヤおよびＳＩＰレイヤ）ごとに必要な試験を実行させる。
【００５７】
この後、試験結果受信部３３３は、ネットワーク試験装置３から試験実行コマンドによる試験実行結果を受信する（Ｓ３６）。そして、試験結果受信部３３３はこの受信した試験実行結果を出力部３６経由で、出力装置２へ出力する（Ｓ３７）。このようにすることで、ネットワークの保守者は、ネットワークサービスを提供する各ネットワーク装置４の試験実行結果を確認することができる。
【００５８】
ここで、ネットワーク試験装置３が各ネットワーク装置４へ実行させる試験内容を、具体例を用いて説明する。
【００５９】
＜リンクアップ／ダウン＞
ネットワーク試験装置３は、「リンクアップ／ダウン」の試験対象装置であるネットワーク装置４に対して、以下の処理を行う。
【００６０】
まず、試験命令変換部３３１は、この「リンクアップ／ダウン」の試験実行コマンドを、この試験の試験対象であるネットワーク装置４の実装に応じたコマンドに変換する（Ｓ３４）。そして、試験命令出力部３３２は、この変換したコマンドを、この試験の試験対象であるネットワーク装置４へ出力する（Ｓ３５）。この後、試験結果受信部３３３が、このネットワーク装置４から「リンクアップ／ダウン」の試験実行結果を受信すると（Ｓ３６）、この試験実行結果を出力装置２へ出力する（Ｓ３７）。このようにすることで、当該ネットワークサービスを提供する各ネットワーク装置４のリンクがダウンしているか否かを確認することができる。
【００６１】
＜ネットワーク疎通＞
ネットワーク試験装置３は、「ネットワーク疎通（ネットワーク疎通確認）」の試験対象装置であるネットワーク装置４に対して、以下の処理を行う。
【００６２】
例えば、図２（ａ）に示す装置テーブル３４１の電話番号「0311112222」のレコードに登録されるネットワーク装置４のうち、「ＳＩＰ−Ａ（1.1.1.1）」、「ＨＧＷ−Ａ（10.10.10.10）」および「Ｒ−Ａ（2.2.2.1）」がこの「ネットワーク疎通」の試験対象装置であるとき、このネットワーク装置４同士を繋ぐ区間、すなわち「ＳＩＰ−Ａ（1.1.1.1）」と「ＨＧＷ−Ａ（10.10.10.10）」との間、「ＨＧＷ−Ａ（10.10.10.10）」と「Ｒ−Ａ（2.2.2.1）」との間、「ＳＩＰ−Ａ（1.1.1.1）」と「Ｒ−Ａ（2.2.2.1）」との間の「ネットワーク疎通」の試験（ping等）実行コマンドを、各ネットワーク装置４（「ＳＩＰ−Ａ（1.1.1.1）」、「ＨＧＷ−Ａ（10.10.10.10）」および「Ｒ−Ａ（2.2.2.1）」）の実装に応じたコマンドに変換する（Ｓ３４）。そして、試験命令出力部３３２は、この変換したコマンドをこの試験の試験対象である各ネットワーク装置４へ出力する（Ｓ３５）。この後、試験結果受信部３３３が、各ネットワーク装置４から「ネットワーク疎通」の試験実行結果を受信すると（Ｓ３６）、この試験実行結果を出力装置２へ出力する（Ｓ３７）。このようにすることで、ネットワークサービスに用いられるネットワーク装置４同士の（区間ごとの）ネットワーク疎通を確認することができる。
【００６３】
＜品質確認＞
ネットワーク試験装置３は、「品質確認（ＲＴＣＰ）」の試験対象装置であるネットワーク装置４に対して、以下の処理を行う。なお、ＲＴＣＰ（RTP Control Protocol）とは、ＲＴＰ（Real-time Transport Protocol、音声や映像のデータをリアルタイムに配送するためのデータ転送プロトコル）によるデータ送受信におけるセッション制御プロトコルである。このＲＴＣＰパケットは、ＲＴＰによりデータ送受信を行うサーバが実効帯域幅や遅延時間等の通信品質を確認するために用いられるパケットである。
【００６４】
まず、試験命令変換部３３１は、この「品質確認（ＲＴＣＰ）」の試験実行コマンド（具体的には、ＲＴＣＰパケットのコピー要求）を、この試験の試験対象であるネットワーク装置４の実装に応じたコマンドに変換する（Ｓ３４）。
【００６５】
なお、ここでの試験実行コマンドは、コピー対象のＲＴＣＰパケットの識別情報を含める。この識別情報は、ネットワーク試験装置３または同じネットワークサービスに用いられるＳＩＰサーバ等がネットワークサービスのＩＤ（例えば、ＩＰ電話における電話番号）をもとに、特定するものとする。そして、試験命令出力部３３２は、この変換したコマンドをこの試験の試験対象であるネットワーク装置４へ出力する（Ｓ３５）。この後、試験結果受信部３３３が、このネットワーク装置４から当該セッションにおける「品質確認（ＲＴＣＰ）」の試験実行結果として、当該ネットワークサービスに関するＲＴＣＰパケットを受信すると（Ｓ３６）、この試験実行結果を出力装置２へ出力する（Ｓ３７）。
【００６６】
図４は、図１のネットワーク試験装置の動作例を示した図である。例えば、この「品質確認（ＲＴＣＰ）」の試験の対象装置が、ネットワーク装置４Ａであるとき、ネットワーク試験装置３は、このネットワーク装置４Ａに対し、試験実行コマンドとして、ＲＴＣＰパケットのコピー要求を送信する。このＲＴＣＰパケットのコピー要求は、Ｓ３１で受け付けたネットワークサービスのＩＤに対応するデータのＲＴＣＰパケットのコピーを要求するものである。そして、ネットワーク試験装置３が、このネットワーク装置４ＡからこのＲＴＣＰパケットのコピーを受信すると、このＲＴＣＰパケットに示される内容を出力装置２へ出力する。
【００６７】
このようにすることで、ネットワークの保守者は、ネットワーク装置４の当該ネットワークサービスのトラヒックに関する実効帯域幅や遅延時間等の通信品質を確認できる。例えば、試験対象のネットワークサービスが電話番号「0311112222」のＩＰ電話サービスであるとき、この電話番号のＩＰ電話サービスの実効帯域幅や遅延時間等の通信品質を確認できる。
【００６８】
なお、ネットワーク試験装置３の試験項目決定部３２２で決定した試験項目が「品質確認（ＲＴＰ）」であるときも、ネットワーク試験装置３は、ほぼ同様の手順によりＲＴＰパケットのコピーを取得する。すなわち、ネットワーク試験装置３の試験項目決定部３２２は、この「品質確認（ＲＴＰ）」の試験の対象であるネットワーク装置４Ａに対し、この「品質確認（ＲＴＰ）」の試験実行コマンドとして、ＲＴＰパケットのコピー要求を送信する。このＲＴＰパケットのコピー要求も、このネットワーク装置４Ａにおいて送受信されているデータのうち、Ｓ３１で受け付けたネットワークサービスのＩＤに対応するデータのＲＴＰパケットのコピーを要求するものである。そして、ネットワーク試験装置３が、このネットワーク装置４Ａから試験実行結果であるＲＴＰパケットのコピーを受信すると、このＲＴＰパケットを出力装置２へ出力する。
【００６９】
このようにすることで、ネットワーク試験装置３は、ネットワーク装置４で送受信されるデータそのものを取得することになる。従って、ネットワークの保守者は、ネットワーク試験装置３から出力された音声や映像を、実際に聞いたり見たりして通信品質を確認できる。
【００７０】
＜登録状態確認＞
ネットワーク試験装置３は、「登録状態確認」の試験対象装置であるネットワーク装置４に対して、以下の処理を行う。なお、ここでの登録状態確認とは、ＳＩＰサーバであるネットワーク装置４に、当該ネットワークサービスのＩＤ（例えば、ＩＰ電話サービスの電話番号）に対応する情報が登録されているか否かを確認することである。
【００７１】
図５は、図１のネットワーク試験装置の動作例を示した図である。例えば、この「登録状態確認」の試験の対象装置が、ネットワーク装置４Ｂであるとき、ネットワーク試験装置３は、このネットワーク装置４Ｂに対し、試験実行コマンドとして、このネットワーク装置４Ｂに当該ネットワークサービスのＩＤに関する情報の登録状態確認要求を送信する。そして、ネットワーク試験装置３が、試験実行結果としてこのネットワーク装置４Ｂから、当該ネットワークサービスのＩＤの登録状態確認結果を受信すると、この内容を出力装置２へ出力する。このようにすることで、ネットワークの保守者は、当該ネットワークサービスを提供するＳＩＰサーバ（ネットワーク装置４Ｂ）に、当該ネットワークサービスのＩＤの情報が登録されているか否かを確認することができる。
【００７２】
また、「通信ログ確認」の試験についても、同様に、ネットワーク試験装置３は、ＳＩＰサーバであるネットワーク装置４Ｂに、試験実行コマンドとして当該ネットワークサービスのＩＤに対応する通信ログ確認要求（取得要求）を送信する。そして、ネットワーク試験装置３が、試験実行結果としてこのネットワーク装置４Ｂから、当該ネットワークサービスのＩＤに対応する通信ログを受信すると、この通信ログを出力装置２へ出力する。このようにすることで、ネットワークの保守者は、当該ネットワークサービスを提供するＳＩＰサーバ（ネットワーク装置４Ｂ）における当該ネットワークサービスに関する通信ログを確認することができる。
【００７３】
＜ＳＩＰシーケンス表示＞
なお、ここでは説明を省略したが、ネットワーク試験装置３は、「ＳＩＰシーケンス表示」の試験対象装置であるネットワーク装置４に対しても同様の処理を行う。すなわち、ネットワーク試験装置３は、ＳＩＰサーバであるネットワーク装置４に、試験実行コマンドとして当該ネットワークサービスのＩＤに対応するＳＩＰシーケンスの取得要求を送信する。そして、ネットワーク試験装置３がＳＩＰシーケンスを取得すると、このＳＩＰシーケンスを出力装置２へ出力する。このようにすることで、ネットワークの保守者は、当該ネットワークサービスを提供するＳＩＰサーバにおける当該ネットワークサービスに関するＳＩＰシーケンスを確認することができる。
【００７４】
なお、前記した図２（ｂ）に例示した試験項目テーブル３４２において、Ｌ２、ＩＰレイヤ、ＳＩＰレイヤの試験項目を登録することとしたが、これ以外のレイヤの試験項目を含んでいてもよい。
【００７５】
なお、前記した実施の形態において、ネットワーク試験装置３は、試験項目テーブル３４２に登録される試験項目にレベル値（例えば、高、中、低等）を付与し、所定のレベルの試験項目のみをネットワーク装置４に実行させるようにしてもよい。
【００７６】
図６は、図２（ｂ）の試験項目テーブルの変形例を示した図である。図６の試験項目テーブル３４２Ａに示すように、試験項目をレイヤごとにいくつかのレベル値を付与しておく。例えば、レベル値として「高」や「低」を付与しておく。そして、ネットワーク試験装置３は、試験対象のネットワークサービスのＩＤを受け付けるとき、この試験のレベル値の入力も受け付ける。次に、試験項目決定部３２２は、試験項目テーブル３４２Ａを参照して、「Ｌ２試験項目」、「ＩＰ試験項目」および「ＳＩＰ試験項目」それぞれに設定された試験項目のうち、入力されたレベル値（例えば、「低」）の欄に記載された試験項目を選択する。
【００７７】
例えば、試験対象装置が「ＳＩＰ−Ａ」であるとき、図６に示す試験項目テーブル３４２Ａの「Ｌ２試験項目」の試験項目から、レベル「低」が設定された「リンクアップ／ダウン」を選択する。また、「ＩＰ試験項目」の試験項目から、レベル「低」が設定された「ネットワーク疎通」を選択する。さらに、「ＳＩＰ試験項目」から、レベル「低」が設定された「登録状態確認」を選択する。
【００７８】
一方、ネットワーク試験装置３が、レベル値「高」の入力を受け付けたとき、「ＳＩＰ試験項目」のうち、レベル「高１」が設定された「ＳＩＰシーケンス表示（ＩＰ電話）」またはレベル「高２」が設定された「ＳＩＰシーケンス表示（ＴＶ電話）」を選択する。なお、「ＳＩＰシーケンス表示（ＩＰ電話）」と「ＳＩＰシーケンス表示（ＴＶ電話）」のうち、どちらの試験項目を実行させるかは、加入サービスが「ＩＰ電話」か「ＴＶ電話」かにより決まる。なお、試験項目テーブル３４２Ａにおいて、このレベル「高」や「低」の横に付された数字は、当該試験項目のうち同じレベルに属する試験項目の識別番号である。例えば、「ＳＩＰ試験項目」のレベル「高」の試験項目は「高１」と「高２」の２つあることを示す。
【００７９】
このようにすることで、ネットワーク試験装置３は、複数ある試験項目のうち所定の試験項目のみを実行させることができる。つまり、ネットワークの保守者が所望するレベルの試験項目をネットワーク装置４に実行させることができる。なお、試験項目テーブル３４２Ａ（図６参照）において各レベルに相当する試験項目は複数あってもよい。
【００８０】
また、前記した実施の形態において、ネットワーク試験装置３は、試験項目テーブル３４２（３４２Ａ）に登録された試験項目のうち、所定のレイヤの試験項目のみをネットワーク装置４に実行させるようにしてもよい。例えば、ネットワーク試験装置３は、試験対象のネットワークサービスのＩＤを受け付けるとき、試験を実行するレイヤの情報の入力も受け付ける。そして、試験項目決定部３２２は、試験項目テーブル３４２Ａを参照して、「Ｌ２試験項目」、「ＩＰ試験項目」および「ＳＩＰ試験項目」それぞれに設定された試験項目のうち、入力されたレイヤ（例えば、「Ｌ２」）の試験項目を選択する。
【００８１】
このようにすることで、ネットワーク試験装置３は、複数のレイヤの試験項目のうち所定のレイヤの試験項目のみを実行させることができる。つまり、ネットワークの保守者が所望するレイヤの試験項目をネットワーク装置４に実行させることができる。
【００８２】
なお、前記した実施の形態において、ネットワーク試験装置３はネットワークに障害が発生したとき、その原因を特定するために用いる場合を例に説明したが、これに限定されない。例えば、ネットワークサービスを開始する前に、ネットワーク装置に設定ミスや障害が発生していないかをチェックするために用いてもよい。
【００８３】
本実施の形態に係るネットワーク試験装置３は、前記したような処理を実行させるネットワーク試験用プログラムによって実現することができ、そのプログラムをコンピュータによる読み取り可能な記憶媒体（ＣＤ−ＲＯＭ等）に記憶して提供することが可能である。また、そのプログラムを、インターネット等のネットワークを通して提供することも可能である。
【図面の簡単な説明】
【００８４】
【図１】本実施の形態のネットワーク試験装置を含むシステムの全体構成を例示した図である。
【図２】（ａ）は、図１の装置テーブルを例示した図であり、（ｂ）は、図１の試験項目テーブルを例示した図である。
【図３】図１のネットワーク試験装置の処理手順を示したフローチャートである。
【図４】図１のネットワーク試験装置の動作例を示した図である。
【図５】図１のネットワーク試験装置の動作例を示した図である。
【図６】図２（ｂ）の試験項目テーブルの変形例を示した図である。
【符号の説明】
【００８５】
１      入力装置
２      出力装置
３      ネットワーク試験装置
４（４Ａ,４Ｂ,…,４Ｎ）  ネットワーク装置
３１    入力部
３２    試験対象特定部
３３    試験要求部
３４    記憶部
３５    ネットワークインタフェース部
３６    出力部
３２１  対象装置特定部
３２２  試験項目決定部
３３１  試験命令変換部
３３２  試験命令出力部
３３３  試験結果受信部
３４１  装置テーブル
３４２,３４２Ａ  試験項目テーブル
【図１】
2009094810.tif 000003
【図２】
2009094810.tif 000004
【図３】
2009094810.tif 000005
【図４】
2009094810.tif 000006
【図５】
2009094810.tif 000007
【図６】
2009094810.tif 000008